(57)【要約】【課題】外観体裁をアップし、ファッション感覚の鋭い顧客の需要を喚起し得る靴下類の複数組み包装パッケージを提供すること。【解決手段】組み包装される複数足分の靴下１を、少なくとも１足分の靴下１ａだけ台紙２に巻き付けて袋詰めされた第１の商品包装体３と、残りの複数足分の靴下１ｂ〜１ｄを相互に同サイズで連袋構成とされた複数の小袋４ａ〜４ｃに台紙なしで１足分毎に小さく折り畳んで袋詰めされた複数の第２の商品包装体４と、前記第１の商品包装体３と第２の商品包装体４とを重ね合わせた状態で被覆挟持すると共に、前記第１の商品包装体３が対応する位置に窓孔１１が形成されている外箱５と、この外箱５を収容する透明な外袋６とを備え、前記第１の商品包装体３は透明な袋３ａに袋詰めされ、かつ、前記第２の商品包装体４は不透明な袋４ａ〜４ｃに袋詰めされている。【選択図】図１
2010058800.tif 000002
【特許請求の範囲】
【請求項１】
組み包装される複数足分の靴下を、少なくとも１足分だけ台紙に巻き付けて袋詰めされた第１の商品包装体と、残りの複数足分の靴下を相互に同サイズで連袋構成とされた複数の小袋に台紙なしで１足分毎に小さく折り畳んで袋詰めされた複数の第２の商品包装体と、前記第１の商品包装体と第２の商品包装体とを重ね合わせた状態で被覆挟持すると共に、前記第１の商品包装体が対応する位置に窓孔が形成されている外箱と、この外箱を収容する透明な外袋とを備え、
前記第１の商品包装体は透明な袋に袋詰めされ、かつ、前記第２の商品包装体は不透明な袋に袋詰めされていることを特徴とする靴下類の複数組み包装パッケージ。
【請求項２】
前記第１の商品包装体の台紙は、前記外箱の半分のサイズとされていることを特徴とする請求項１に記載の靴下類の複数組み包装パッケージ。
【請求項３】
前記第１の商品包装体と第２の商品包装体とは、連袋構成とされていることを特徴とする請求項１又は２に記載の靴下類の複数組み包装パッケージ。
【請求項４】
前記第１の商品包装体と第２の商品包装体とは、同サイズの袋に袋詰めされていることを特徴とする請求項１〜３の何れか１項に記載の靴下類の複数組み包装パッケージ。
【請求項５】
前記第１の商品包装体の台紙は、前記外箱と同サイズとされていることを特徴とする請求項１に記載の靴下類の複数組み包装パッケージ。
【請求項６】
前記第２の商品包装体の各小袋は、一部に透明窓部が形成してあることを特徴とする請求項１〜５の何れか１項に記載の靴下類の複数組み包装パッケージ。
【請求項７】
前記第２の商品包装体の各小袋は、色違いの着色が施されていることを特徴とする請求項１〜６の何れか１項に記載の靴下類の複数組み包装パッケージ。
【発明の詳細な説明】
【技術分野】
【０００１】
本発明は、パンティストッキング、ロングストッキング、ショートストッキング等の靴下類の複数組み包装パッケージに関するものである。
【背景技術】
【０００２】
この種の靴下類の複数組み包装パッケージとして、台紙の使用枚数を減らして省資源化と包装の簡素化を図るために、従来、１足分だけを台紙に扁平に巻き付けて透明フィルムの内袋に収容したものを透明フィルムの外袋内の一番手前に入れ、その後側には残る複数足分を台紙なしで小さく折り畳んでそれぞれ透明フィルムの同大の小袋に収容して上下に整列するように入れ、これら全ては外袋内で上記内袋内の靴下が正面から一部見える様な形状の合紙（外箱）により囲まれまとめられてなるものが公知である（特許文献１参照）。
【特許文献１】特許第３７６９６９８号公報
【発明の開示】
【発明が解決しようとする課題】
【０００３】
しかしながら、上記特許文献１に記載のものは、小袋全体を透明としているため、ハンドバックや小物入れに入れて携帯する際、中身全体がそのまま見えて外観体裁を悪化させるため、ファッション感覚に鋭い顧客から敬遠されやすい欠点がある。
また、上記特許文献１に記載のものは、合紙（外箱）が下部と左右一側とを連続して開口させた形状のものしか例示していないため、外袋に入れる際、内袋と小袋とが合紙（外箱）の側部開口から位置ずれしてはみ出し易く、入れにくい欠点があると共に、側部の開口から内袋及び小袋の中身が見えるため体裁が悪い欠点がある。
【０００４】
本発明は、従来技術の上記欠点に鑑みて提案されたもので、外観体裁をアップし、ファッション感覚の鋭い顧客の需要を喚起し得る靴下類の複数組み包装パッケージを提供することを目的としている。
【課題を解決するための手段】
【０００５】
前記目的を達成するために本発明は、組み包装される複数足分の靴下を、少なくとも１足分だけ台紙に巻き付けて袋詰めされた第１の商品包装体と、残りの複数足分の靴下を相互に同サイズで連袋構成とされた複数の小袋に台紙なしで１足分毎に小さく折り畳んで袋詰めされた複数の第２の商品包装体と、前記第１の商品包装体と第２の商品包装体とを重ね合わせた状態で被覆挟持すると共に、前記第１の商品包装体が対応する位置に窓孔が形成されている外箱と、この外箱を収容する透明な外袋とを備え、前記第１の商品包装体は透明な袋に袋詰めされ、かつ、前記第２の商品包装体は不透明な袋に袋詰めされていることを特徴としている。
【０００６】
この構成によれば、小袋に袋詰めされている第２の商品包装体が不透明な袋で構成されているため、ハンドバックや小物入れに入れて携帯する際、中身が見えず、外観体裁がよくなり、ファッション感覚の鋭い顧客の需要を喚起し得る。しかも、第１の商品包装体と第２の商品包装体とは、重ね合わせた状態で外箱によって被覆挟持されているため、外袋への挿入作業が容易となる。また、外箱は、周囲を囲む形状とした場合は勿論であるが、側部に開口を持つ形態で実施した場合でも、第２の商品包装体の小袋が不透明であるため、外箱の側部開口から中身が見えることはなく、外観体裁をアップすることができる。また、外箱には、前記第１の商品包装体が対応する位置に窓孔が形成されているため、この窓孔を通して内部に包装されている商品靴下の色彩や柄模様、編み組織等の品質を目視確認することができる。
【０００７】
また、前記第１の商品包装体の台紙は、前記外箱の半分のサイズとされていることが望ましい。
この構成によれば、台紙の使用量をさらに削減して省資源化し、廃棄ゴミ量を減少させ、包装コストを低減させることができる。
また、前記第１の商品包装体と第２の商品包装体とは、連袋構成とされていることが望ましい。
この構成によれば、外袋内への挿入作業を容易化でき、誤挿入や挿入数量の過不足を防止することができる。
【０００８】
また、前記第１の商品包装体と第２の商品包装体とは、同サイズの袋に袋詰めされていることが望ましい。
この構成によれば、第１の商品包装体も第２の商品包装体と同サイズとして携帯に便利となる。また、第１の商品包装体と第２の商品包装体との袋を同サイズで連袋構成とすれば、１パッケージの組数を偶数として体裁良く包装することができ、外袋内への挿入作業も容易化することができる。
また、前記第１の商品包装体の台紙は、前記外箱と同サイズとされていてもよい。
【０００９】
この構成によれば、台紙は外箱と同サイズとなるが、第２の商品包装体の小袋が不透明であることによって、前記したように、ハンドバック等に携帯する際の外観体裁アップによるメリットが得られる。
また、前記第２の商品包装体の各小袋は、一部に透明窓部が形成してあるのが好ましい。
この構成によれば、他者に携帯品の中身が丸見えとなる弊害を避けつつ本人が中身を確認することを可能として、ファッション感覚の鋭い顧客の需要を喚起し得る。
【００１０】
また、前記第２の商品包装体の各小袋は、色違いの着色が施されているのが好ましい。
この構成によれば、複数組み包装パッケージとしての見映えが向上し、ファッション感覚の鋭い顧客の需要を喚起し得る。
【発明の効果】
【００１１】
本発明によれば、外観体裁をアップし、ファッション感覚の鋭い顧客の需要を喚起し得る靴下類の複数組み包装パッケージを提供することができる。
【発明を実施するための最良の形態】
【００１２】
以下、本発明に係る靴下類の複数組み包装パッケージの実施形態を図面を参照しつつ説明する。
図１〜図４は、本発明の第１の実施形態を示しており、１は靴下（パンティストッキング）、２は台紙、３は第１の商品包装体、４は第２の商品包装体、５は外箱、６は外袋を示している。
第１の商品包装体３は、図１、図４に示すように、組み包装される複数足分（第１の実施形態は４足分の場合を例示している。）の靴下１のうち、１足分の靴下１ａだけ台紙２に巻き付けて透明な袋３ａに袋詰めされている。
【００１３】
第１の商品包装体３の台紙２は、外箱５の半分のサイズさとされている。台紙２への靴下１ａの巻き付け方は、例えば、一方の脚部を台紙２の表側中央部に縦方向に巻き付け、残りの部分は台紙２の裏側へ小さく折り畳んで重ね合わされ、台紙２の表側から見たとき、台紙２と靴下１ａとが縦縞（川流れ状）になるように巻き付けられている。なお、台紙２は、白色無地とされている。
第２の商品包装体４は、図１、図４に示すように、残りの複数足分の靴下１ｂ〜１ｄを相互に同サイズで連袋構成とされた複数の不透明な小袋４ａ〜４ｃに台紙なしで１足分毎に小さく折り畳んで袋詰めされている。
【００１４】
上記第１の商品包装体３と第２の商品包装体４とは、図１、図４に示すように、同サイズの袋３ａ、４ａ〜４ｃに袋詰めされており、これらは、１列で連続して製袋された連袋構成とされている。
各袋３ａ、４ａ〜４ｃは、樹脂フィルムによって、図１に示すように、略正方形で三辺が閉じられ、一辺に開口部７と舌片状蓋８とを有する形状とされ、各開口部７を同一方向に揃えて１列で連続して製袋され、各袋３ａ、４ａ〜４ｃの境界部に施されたミシン目９によって切り離し可能に接続されている。
【００１５】
第２の商品包装体４の各小袋４ａ〜４ｃは、図４に示すように、一部に透明窓部１０がが形成してある。また、第２の商品包装体４の各小袋４ａ〜４ｃは、互いに色違いの着色プリントが施されて不透明とされている。
外箱５は、図３の展開図（外箱の内側から見た図）に示すように、縦長の長方形とされた同サイズの前面部５ａと後面部５ｂ、及び、マチ幅に相当する左右側面部５ｃ、５ｄと、蓋部５ｅと、上フラップ部５ｆ、５ｇとを一連に持ち、１枚の原紙から裁断されている。これらは、前面部５ａの左側に左側面部５ｃが縦方向折り目５ｈを介して連設され、この左側に縦方向折り目５ｉを介して蓋部５ｅが連設されている。前面部５ａの右側には縦方向折り目５ｊを介して右側面部５ｄが連設され、この右側に縦方向折り目５ｋを介して後面部５ｂが連設されている。そして、前面部５ａと後面部５ｂとの上部には、横方向折り目５ｍ、５ｎを介して上フラップ部５ｆ、５ｇが連設されている。また、前面部５ａの上半部右寄り位置（図３では左寄り位置であるが、図２（Ａ）の正面図では右寄り位置）に縦長の窓孔１１が切り抜き形成されている。また、蓋部５ｅの縦方向中央部には、後面部５ｂを係止保持させるストッパ部１２が舌片状に切り抜き形成されている。
【００１６】
上記外箱５は、図３の展開状態の前面部５ａの上に、第１の商品包装体３と第２の商品包装体４とを重ね合わせる。その際、第１の商品包装体３が前面側（この場合、下側）となるように重ねる。また、第１の商品包装体３と第２の商品包装体４とは、本第１実施形態では、４袋分の連袋構成としているため、２袋ずつとなるように２つ折りにして重ね合わせる。このように外箱５の展開状態の前面部５ａの上に、第１の商品包装体３と第２の商品包装体４とを重ね合わせた状態で左右側面部５ｃ、５ｄを折り曲げると共に、後面部５ｂと蓋部５ｅを折り曲げる。その際、蓋部５ｅが上になるように折り合わせ、後面部５ｂの端部をストッパ部１２に係止させ、このまま、或いは、接着テープ等で止める。また、上フラップ部５ｆ、５ｇも折り重ねて上部を閉じる。これにより、第１の商品包装体３と第２の商品包装体４は、外箱５によって扁平な縦長の長方形箱状に被覆挟持され、下部だけが開口した状態となる。この状態は、正面から見ると、図２（Ａ）に示す状態となり、外箱５の前面部５ａに形成してある窓孔１１から第１の商品包装体３が見える状態となる。この第１の商品包装体３は、台紙２に靴下１ａを縦縞（川流れ状）になるように巻き付けており、袋３ａが透明であるため、図２（Ａ）に示す正面図においては、外箱５の窓孔１１の部分からだけ、その状態が目視確認することができることになる。後面から見ると図２（Ｂ）に示すように、外箱５の後面部５ｂと蓋部５ｅとが折り合わされてストッパ部１２で係止されている状態が見えるだけとなる。また、左側面から見ると、図２（Ｃ）に示す状態となる。ストッパ部１２は、外箱５の後面部５ｂ端を係止しているため、箱形状が潰れて変形することを防止している。
【００１７】
このように、第１の商品包装体３は、外箱５の半分のサイズの台紙２しか使用していないが、第２の商品包装体４の小袋４ａ〜４ｃを第１の商品包装体３の袋３ａと同サイズとし、４袋の連袋構成とし、これら４袋分を２袋ずつ重ねて２つ折りして外箱５で被覆挟持させているため、外箱５内で位置ずれすることがなく、勿論、はみ出すこともない。
なお、外箱５のサイズは、パンティストッキング４足分とした第１実施形態の場合、例えば、縦２２ｃｍ、横１４ｃｍ、厚さ１ｃｍとされている。また、外箱５の前面部５ａには、着用状態や装飾等の各種デザイン、サイズ、組数、品種等がプリントされ、後面部５ｂには、各種デザイン、品番、製造元、販売元、取扱注意事項等がプリントされ、左右側面部５ｃ、５ｄ及び蓋部５ｅにもそれらに関連したプリントが施される。
【００１８】
このように外箱５に被覆挟持されたものは、最後に、図１に示すように、外袋６に挿入されて封止され、靴下類の複数組み包装パッケージの完成品とされる。外袋６は、全体が透明な樹脂フイルムで外箱５よりも少し大きい目の扁平な縦長の長方形筒形状とされ、舌片状の上蓋を閉止するように構成されている。
図５〜図８は、第２の実施形態を示すもので、第１の商品包装体３と第２の商品包装体４とをショートストッキング１足分ずつの２足組み包装パッケージとした場合であって、この場合、第１の実施形態に比べ、包装対象がパンティストッキングからショートストッキングに変更されていることと、組み包装の組数を２足と少なくした分、外箱５を簡素化した点が異なっている。
【００１９】
第２の実施形態における外箱５は、図７の展開図に示すように、縦長の長方形とされた同サイズの前面部５ａと後面部５ｂ、及び、これらの間に縦方向折り目５ｊ、５ｋを介してマチ幅に相当する左側面部５ｃが連設された構成からなる。この外箱５のサイズは、本第２の実施形態においては、例えば、縦２１ｃｍ、横１０ｃｍ、厚さ５ｍｍとされている。
第２の実施形態においては、第１の商品包装体３と第２の商品包装体４は、図８に示すように、上下に連続製袋された袋３ａ、４ａを、２つ折りせずに、そのままで外箱５の前面部５ａと後面部５ｂとの間に挟み込んで被覆挟持させ、外袋６に挿入して封止するものである。この場合においても、第１の商品包装体３は、靴下１ａを台紙２に縦縞（川流れ状）になるように巻き付けて透明な袋３ａに封入してあり、第２の商品包装体４は、靴下１ｂを台紙なしで小さく折り畳んで不透明な小袋４ａに封入してある。これらの袋３ａ、４ａは、外箱５の約半分のサイズとしてあり、上下に並べて外箱５に被覆挟持させると、位置ずれせず、はみ出しも防止される。そして、外箱５の前面部５ａには、窓孔１１が形成してあるため、外袋６に封入された状態において、この窓孔１１から第１の商品包装体３が目視確認される。この外箱５にも第１実施形態と同様なプリントが施されるものである。
【００２０】
図９〜図１２は、第３の実施形態を示すもので、第１の商品包装体３と第２の商品包装体４とでパンティストッキング５足組み包装パッケージとした場合であって、この場合、第１の商品包装体３は、外箱５と同サイズの台紙２を使用して、これに靴下１ａを縦縞（川流れ状）になるように巻き付けて透明な袋３ａに封入している。そして、第２の商品包装体４は、台紙なしで４足分の靴下１ｂ〜１ｅを個別に小さく折り畳んで不透明な小袋４ａ〜４ｄに個別に封入している。第２の商品包装体４の小袋４ａ〜４ｄは、第１実施形態で説明した構成と同様な連袋構成とされ、ミシン目９で切り離し可能とされている。また、外箱５は、第１の実施形態と同様であり、窓孔１１が上下２箇所に形成してある点が異なっている。
【００２１】
この第３実施形態では、４袋綴りとされた第２の商品包装体４を、図９に示すように、２つ折りして第１の商品包装体３に重ね合わせ、外箱５によって被覆挟持させ、この状態で透明な外袋６内に封入され、５足組み包装パッケージとされる。この場合において、第２の商品包装体４は、４足分の靴下１ｂ〜１ｅを台紙なしで小さく折り畳んで不透明な小袋４ａ〜４ｄに封入しているため、ハンドバックや小物入れに入れて携帯する際、中身が見えず、外観体裁がよくなり、ファッション感覚の鋭い顧客の需要を喚起し得る。しかも、第１の商品包装体３と第２の商品包装体４とは、重ね合わせた状態で外箱５によって被覆挟持されているため、外袋６への挿入作業が容易となる。また、外箱５には、第１の商品包装体３が対応する位置に窓孔１１が形成されているため、この窓孔１１を通して内部に包装されている商品靴下１ａの色彩や柄模様、編み組織等の品質を目視確認することができる。
【００２２】
本発明の実施形態は以上の通りであるが、本発明は、これらの実施形態にのみ制約されるものではなく、種々変更して実施することが可能である。例えば、第２の商品包装体４の折り畳み形状は、第１の商品包装体３のサイズに制約されず、自由に変更してもよい。また、組み包装の組数も複数であれば、奇数、偶数のいずれでもよい。また、実施例では、第２の商品包装体４の各小袋の一部に透明窓部１０を形成しているが、これを省略してもよい。さらに、包装対象は、パンティストッキング、ショートストッキングの他、靴下類全般に適用してもよい。
【図面の簡単な説明】
【００２３】
【図１】本発明の第１の実施形態の包装工程説明図である。
【図２】（Ａ）（Ｂ）（Ｃ）は第１の実施形態における外箱の正面図、背面図、左側面図である。
【図３】第１の実施形態の外箱の展開図（外箱の内面側から見た展開図）である。
【図４】第１の実施形態における第１の商品包装体及び第２の商品包装体の説明図である。
【図５】本発明の第２の実施形態の包装工程説明図である。
【図６】（Ａ）（Ｂ）は第２の実施形態における外箱の正面図及び背面図である。
【図７】第２の実施形態における外箱の展開図である。
【図８】第２の実施形態における第１の商品包装体および第２の商品包装体の説明図である。
【図９】本発明の第３の実施形態の包装工程説明図である。
【図１０】（Ａ）（Ｂ）（Ｃ）は第３の実施形態における外箱の正面図、背面図、左側面図である。
【図１１】第３の実施形態における外箱の展開図である。
【図１２】（Ａ）（Ｂ）は第３の実施形態における第１の商品包装体および第２の商品包装体の説明図である。
【符号の説明】
【００２４】
１、１ａ〜１ｄ    靴下（パンティストッキング、ショートストッキング）
２    台紙
３    第１の商品包装体
３ａ    透明な袋
４    第２の商品包装体
４ａ〜４ｄ    不透明な小袋
５    外箱
６    透明な外袋
９    ミシン目
１０    透明窓部
１１    窓孔
１２    ストッパ部
【図１】
2010058800.tif 000003
【図２】
2010058800.tif 000004
【図３】
2010058800.tif 000005
【図４】
2010058800.tif 000006
【図５】
2010058800.tif 000007
【図６】
2010058800.tif 000008
【図７】
2010058800.tif 000009
【図８】
2010058800.tif 000010
【図９】
2010058800.tif 000011
【図１０】
2010058800.tif 000012
【図１１】
2010058800.tif 000013
【図１２】
2010058800.tif 000014